(57)【要約】【課題】不適切な作業終了報告の入力を監視するチェック作業監視システムの提供。【解決手段】複数の作業詳細項目毎の作業詳細項目内容及び作業詳細項目を開始から終了して次の作業詳細項目を開始する迄の必須時間を含むチェックリストを登録するチェックリスト定義テーブル１０６と、作業終了を表すチェック情報を登録するチェック結果テーブル１０７とを有するデータベースサーバ２０及び入力時刻を含むチェック情報をチェック結果テーブル１０７に登録するチェック作業制御処理部１０５とを有するチェックリスト作成端末１０とを備え、チェック作業制御処理部１０５が、チェック情報を登録するとき、チェック情報の入力時刻の時刻差に基づいて算出した作業時間が前記必須所有時間未満と判定したとき、チェック結果テーブル１０７への登録を阻止するチェック作業監視システム。【選択図】図１
2012226663.tif 000002
【特許請求の範囲】
【請求項１】
複数の作業詳細項目から成る作業の作業詳細項目毎の作業終了報告をチェック情報として入力するチェックリスト作成端末と、該チェックリスト作成端末から前記チェック情報を入力時刻と共に入力し、チェック結果テーブルに登録するデータベースサーバとを備えるチェック作業監視システムであって、
前記データベースサーバが、作業に対応したチェックリストＩＤと、該チェックリストＩＤの作業に含まれる複数の作業詳細項目毎に付与した複数のチェック番号と、該チェック番号に対応した作業詳細項目内容と、作業詳細項目毎内容を開始から終了して次の作業詳細項目を開始する迄の作業者に所有させる必須時間との各項目とから成るチェックリストを登録するチェックリスト定義テーブルと、作業者が入力した作業項目毎の作業終了を表すチェック情報を登録するチェック結果テーブルと、チェックリストを表示する表示部とを有し、前記チェックリスト作成端末が、作業管理を行うチェックリスト作成者が入力したチェックリストＩＤとチェック番号とを入力時刻と共にチェック情報として前記チェック結果テーブルに登録するチェック作業制御処理部とを有し、
前記チェックリスト作成端末のチェックリスト登録処理部が、入力されたチェックリストＩＤと、該チェックリストＩＤの作業に含まれる複数の作業項目毎に付与した複数のチェック番号と、前記作業項目毎の作業詳細項目内容と、該作業詳細項目内容毎に予め設定した詳細作業の開始から終了迄に必要とする必須所有時間との各項目とから成るチェックリストをチェックリスト定義テーブルに登録し、
前記データベースサーバのチェック作業制御処理部が、入力されたチェックリストＩＤとチェック番号とを入力時刻とをチェック情報として前記チェック結果テーブルに登録するとき、前記チェック情報に含まれる複数の作業詳細項目の入力時刻の時刻差に基づいて算出した作業時間が前記必須所有時間未満と判定したとき、前記入力したチェック情報のチェック結果テーブルへの登録を阻止することを特徴とするチェック作業監視システム。
【請求項２】
前記チェックリスト作成端末のチェック作業制御処理部が、前記算出した作業時間が前記必須所有時間未満と判定したとき、前記表示部に警告表示することを特徴とする請求項１記載のチェック作業監視システム。
【請求項３】
複数の作業詳細項目から成る作業の作業詳細項目毎の作業終了報告をチェック情報として入力するチェックリスト作成端末と、該チェックリスト作成端末から前記チェック情報を入力時刻と共に入力し、チェック結果テーブルに登録するデータベースサーバとを備えるチェック作業監視システムであって、
前記データベースサーバが、作業に対応したチェックリストＩＤと、該チェックリストＩＤの作業に含まれる複数の作業詳細項目毎に付与した複数のチェック番号と、該チェック番号に対応した作業詳細項目内容と、作業詳細項目毎内容を開始から終了して次の作業詳細項目を開始する迄の作業者に所有させる必須時間との各項目とから成るチェックリストを登録するチェックリスト定義テーブルと、作業者が入力した作業項目毎の作業終了を表すチェック情報を登録するチェック結果テーブルと、チェックリストを表示する表示部とを有し、前記チェックリスト作成端末が、作業管理を行うチェックリスト作成者が入力したチェックリストＩＤとチェック番号とを入力時刻と共にチェック情報として前記チェック結果テーブルに登録するチェック作業制御処理部とを有し、
前記チェックリスト作成端末のチェックリスト登録処理部が、入力されたチェックリストＩＤと、該チェックリストＩＤの作業に含まれる複数の作業項目毎に付与した複数のチェック番号と、前記作業項目毎の作業詳細項目内容と、該作業詳細項目内容の開始から終了迄に必要とする必須所有時間との各項目とから成るチェックリストをチェックリスト定義テーブルに登録し、
前記データベースサーバのチェック作業制御処理部が、入力されたチェックリストＩＤとチェック番号とを入力時刻とをチェック情報として前記チェック結果テーブルに登録するとき、前記チェック情報に含まれる複数の作業詳細項目の入力時刻の時刻差に基づいて算出した作業時間が、前記チェックリスト定義テーブルに登録した複数の必須所有時間中の最短必須時間未満と判定したとき、前記入力したチェック情報のチェック結果テーブルへの登録を阻止することを特徴とするチェック作業監視システム。
【請求項４】
前記データベースサーバの制御部が、算出した作業時間が前記最短必須時間未満と判定したとき、チェックリスト作成端末の表示部に警告表示することを特徴とする請求項３記載のチェック作業監視システム。
【請求項５】
複数の作業詳細項目から成る作業の作業詳細項目毎の作業終了報告をチェック情報として入力するチェックリスト作成端末と、該チェックリスト作成端末から前記チェック情報を入力時刻と共に入力し、チェック結果テーブルに登録するデータベースサーバとを備え、前記データベースサーバが、作業に対応したチェックリストＩＤと、該チェックリストＩＤの作業に含まれる複数の作業詳細項目毎に付与した複数のチェック番号と、該チェック番号に対応した作業詳細項目内容と、作業詳細項目毎内容を開始から終了して次の作業詳細項目を開始する迄の作業者に所有させる必須時間との各項目とから成るチェックリストを登録するチェックリスト定義テーブルと、作業者が入力した作業項目毎の作業終了を表すチェック情報を登録するチェック結果テーブルと、チェックリストを表示する表示部とを有し、前記チェックリスト作成端末が、作業管理を行うチェックリスト作成者が入力したチェックリストＩＤとチェック番号とを入力時刻と共にチェック情報として前記チェック結果テーブルに登録するチェック作業制御処理部とを有するコンピュータシステムのチェック作業監視方法であって、
前記チェックリスト作成端末のチェックリスト登録処理部に、入力されたチェックリストＩＤと、該チェックリストＩＤの作業に含まれる複数の作業項目毎に付与した複数のチェック番号と、前記作業項目毎の作業詳細項目内容と、該作業詳細項目内容毎に予め設定した詳細作業の開始から終了迄に必要とする必須所有時間との各項目とから成るチェックリストをチェックリスト定義テーブルに登録する工程と、
前記データベースサーバのチェック作業制御処理部に、入力されたチェックリストＩＤとチェック番号とを入力時刻とをチェック情報として前記チェック結果テーブルに登録するとき、前記チェック情報に含まれる複数の作業詳細項目の入力時刻の時刻差に基づいて算出した作業時間が前記必須所有時間未満と判定したとき、前記入力したチェック情報のチェック結果テーブルへの登録を阻止する工程とを実行させることを特徴とするチェック作業監視方法。
【請求項６】
前記チェックリスト作成端末のチェック作業制御処理部に、前記算出した作業時間が前記必須所有時間未満と判定したとき、前記表示部に警告表示させることを特徴とする請求項５記載のチェック作業監視方法。
【請求項７】
複数の作業詳細項目から成る作業の作業詳細項目毎の作業終了報告をチェック情報として入力するチェックリスト作成端末と、該チェックリスト作成端末から前記チェック情報を入力時刻と共に入力し、チェック結果テーブルに登録するデータベースサーバとを備え、前記データベースサーバが、作業に対応したチェックリストＩＤと、該チェックリストＩＤの作業に含まれる複数の作業詳細項目毎に付与した複数のチェック番号と、該チェック番号に対応した作業詳細項目内容と、作業詳細項目毎内容を開始から終了して次の作業詳細項目を開始する迄の作業者に所有させる必須時間との各項目とから成るチェックリストを登録するチェックリスト定義テーブルと、作業者が入力した作業項目毎の作業終了を表すチェック情報を登録するチェック結果テーブルと、チェックリストを表示する表示部とを有し、前記チェックリスト作成端末が、作業管理を行うチェックリスト作成者が入力したチェックリストＩＤとチェック番号とを入力時刻と共にチェック情報として前記チェック結果テーブルに登録するチェック作業制御処理部とを有するコンピュータシステムのチェック作業監視方法であって、
前記チェックリスト作成端末のチェックリスト登録処理部に、入力されたチェックリストＩＤと、該チェックリストＩＤの作業に含まれる複数の作業項目毎に付与した複数のチェック番号と、前記作業項目毎の作業詳細項目内容と、該作業詳細項目内容の開始から終了迄に必要とする必須所有時間との各項目とから成るチェックリストをチェックリスト定義テーブルに登録する工程と、
前記データベースサーバのチェック作業制御処理部に、入力されたチェックリストＩＤとチェック番号とを入力時刻とをチェック情報として前記チェック結果テーブルに登録するとき、前記チェック情報に含まれる複数の作業詳細項目の入力時刻の時刻差に基づいて算出した作業時間が、前記チェックリスト定義テーブルに登録した複数の必須所有時間中の最短必須時間未満と判定したとき、前記入力したチェック情報のチェック結果テーブルへの登録を阻止すること工程とを実行させることを特徴とするチェック作業監視方法。
【請求項８】
前記データベースサーバの制御部に、算出した作業時間が前記最短必須時間未満と判定したとき、チェックリスト作成端末の表示部に警告表示させることを特徴とする請求項７記載のチェック作業監視方法。
【発明の詳細な説明】
【技術分野】
【０００１】
本発明は、複数の詳細作業から成る作業の進捗状況を電子的にチェックする監視システムにおけるチェック作業の不正を防止することができるチェック作業監視システム及びチェック作業監視方法に関する。
【背景技術】
【０００２】
一般に作業者が行う作業の進捗状況を監視する手法として、作業者に作業の進捗に応じて作業済みの項目を電子的に入力して管理する監視システムが知られており、この監視システムが記載された文献としては次の特許文献１が挙げられ、この特許文献１には、作業者が所持する携帯端末装置とこの携帯端末装置からの信号を受信することにより前記作業者の状態を監視する監視センターとから成る監視システムにおいて、携帯端末装置が、作業者の作業スケジュールの各作業の作業予定時間を取得する作業予定取得手段と、この作業予定取得手段により取得した各作業の開始時点からの作業時間を計測する計時手段と、この計時手段により計測される作業時間を前記作業予定取得手段により取得した該当作業の予定時間と比較し、作業時間が予定時間を超えたことを検知する超過検知手段と、この超過検知手段によって前記作業時間が前記予定時間を超えたことを検知したとき前記予定時間を超えた旨の超過信号を監視センターに送信する超過信号送信手段とを設け、保守作業者からの電話連絡などがなくても作業状況や安全確認を行うことができる技術が記載されている。
【先行技術文献】
【特許文献】
【０００３】
【特許文献１】特開２００３−１０８７１４号公報
【発明の概要】
【発明が解決しようとする課題】
【０００４】
前述の特許文献１に記載された技術は、作業者の作業時間が予定時間を超えたときに監視センターに前記作業時間を通知することによって、監視センター側で作業現場における作業状況を把握することができるものの、作業時間には作業内容によって最低限の作業時間を要し、仮に作業者が正規の作業を行わずに短時間で作業終了を携帯端末に入力したときや、一連の詳細作業を終了した後に纏めて作業終了を携帯端末に入力した際には、この不適当な作業終了報告を監視センター側では監視することができないという不具合があった。
【０００５】
本発明の目的は、前述の従来技術による課題を解決しようとするものであり、作業者による不適当な作業終了報告の携帯端末への入力を監視し、チェック結果の信頼性を向上することができるチェック作業監視システム及びチェック作業監視方法を提供することである。
【課題を解決するための手段】
【０００６】
前記目的を達成するために本発明は、複数の作業詳細項目から成る作業の作業詳細項目毎の作業終了報告をチェック情報として入力するチェックリスト作成端末と、該チェックリスト作成端末から前記チェック情報を入力時刻と共に入力し、チェック結果テーブルに登録するデータベースサーバとを備えるチェック作業監視システムであって、
前記データベースサーバが、作業に対応したチェックリストＩＤと、該チェックリストＩＤの作業に含まれる複数の作業詳細項目毎に付与した複数のチェック番号と、該チェック番号に対応した作業詳細項目内容と、作業詳細項目毎内容を開始から終了して次の作業詳細項目を開始する迄の作業者に所有させる必須時間との各項目とから成るチェックリストを登録するチェックリスト定義テーブルと、作業者が入力した作業項目毎の作業終了を表すチェック情報を登録するチェック結果テーブルと、チェックリストを表示する表示部とを有し、前記チェックリスト作成端末が、作業管理を行うチェックリスト作成者が入力したチェックリストＩＤとチェック番号とを入力時刻と共にチェック情報として前記チェック結果テーブルに登録するチェック作業制御処理部とを有し、
前記チェックリスト作成端末のチェックリスト登録処理部が、入力されたチェックリストＩＤと、該チェックリストＩＤの作業に含まれる複数の作業項目毎に付与した複数のチェック番号と、前記作業項目毎の作業詳細項目内容と、該作業詳細項目内容毎に予め設定した詳細作業の開始から終了迄に必要とする必須所有時間との各項目とから成るチェックリストをチェックリスト定義テーブルに登録し、
前記データベースサーバのチェック作業制御処理部が、入力されたチェックリストＩＤとチェック番号とを入力時刻とをチェック情報として前記チェック結果テーブルに登録するとき、前記チェック情報に含まれる複数の作業詳細項目の入力時刻の時刻差に基づいて算出した作業時間が前記必須所有時間未満と判定したとき、前記入力したチェック情報のチェック結果テーブルへの登録を阻止することを第１の特徴とし、該チェック作業監視システムにおいて、前記チェックリスト作成端末のチェック作業制御処理部が、前記算出した作業時間が前記必須所有時間未満と判定したとき、前記表示部に警告表示することを第２の特徴とする。
【０００７】
また、本発明は、複数の作業詳細項目から成る作業の作業詳細項目毎の作業終了報告をチェック情報として入力するチェックリスト作成端末と、該チェックリスト作成端末から前記チェック情報を入力時刻と共に入力し、チェック結果テーブルに登録するデータベースサーバとを備えるチェック作業監視システムであって、
前記データベースサーバが、作業に対応したチェックリストＩＤと、該チェックリストＩＤの作業に含まれる複数の作業詳細項目毎に付与した複数のチェック番号と、該チェック番号に対応した作業詳細項目内容と、作業詳細項目毎内容を開始から終了して次の作業詳細項目を開始する迄の作業者に所有させる必須時間との各項目とから成るチェックリストを登録するチェックリスト定義テーブルと、作業者が入力した作業項目毎の作業終了を表すチェック情報を登録するチェック結果テーブルと、チェックリストを表示する表示部とを有し、前記チェックリスト作成端末が、作業管理を行うチェックリスト作成者が入力したチェックリストＩＤとチェック番号とを入力時刻と共にチェック情報として前記チェック結果テーブルに登録するチェック作業制御処理部とを有し、
前記チェックリスト作成端末のチェックリスト登録処理部が、入力されたチェックリストＩＤと、該チェックリストＩＤの作業に含まれる複数の作業項目毎に付与した複数のチェック番号と、前記作業項目毎の作業詳細項目内容と、該作業詳細項目内容の開始から終了迄に必要とする必須所有時間との各項目とから成るチェックリストをチェックリスト定義テーブルに登録し、
前記データベースサーバのチェック作業制御処理部が、入力されたチェックリストＩＤとチェック番号とを入力時刻とをチェック情報として前記チェック結果テーブルに登録するとき、前記チェック情報に含まれる複数の作業詳細項目の入力時刻の時刻差に基づいて算出した作業時間が、前記チェックリスト定義テーブルに登録した複数の必須所有時間中の最短必須時間未満と判定したとき、前記入力したチェック情報のチェック結果テーブルへの登録を阻止することを第３の特徴とし、該チェック作業監視システムにおいて、前記データベースサーバの制御部が、算出した作業時間が前記最短必須時間未満と判定したとき、チェックリスト作成端末の表示部に警告表示することを第４の特徴とする。
【０００８】
また、本発明は、複数の作業詳細項目から成る作業の作業詳細項目毎の作業終了報告をチェック情報として入力するチェックリスト作成端末と、該チェックリスト作成端末から前記チェック情報を入力時刻と共に入力し、チェック結果テーブルに登録するデータベースサーバとを備え、前記データベースサーバが、作業に対応したチェックリストＩＤと、該チェックリストＩＤの作業に含まれる複数の作業詳細項目毎に付与した複数のチェック番号と、該チェック番号に対応した作業詳細項目内容と、作業詳細項目毎内容を開始から終了して次の作業詳細項目を開始する迄の作業者に所有させる必須時間との各項目とから成るチェックリストを登録するチェックリスト定義テーブルと、作業者が入力した作業項目毎の作業終了を表すチェック情報を登録するチェック結果テーブルと、チェックリストを表示する表示部とを有し、前記チェックリスト作成端末が、作業管理を行うチェックリスト作成者が入力したチェックリストＩＤとチェック番号とを入力時刻と共にチェック情報として前記チェック結果テーブルに登録するチェック作業制御処理部とを有するコンピュータシステムのチェック作業監視方法であって、
前記チェックリスト作成端末のチェックリスト登録処理部に、入力されたチェックリストＩＤと、該チェックリストＩＤの作業に含まれる複数の作業項目毎に付与した複数のチェック番号と、前記作業項目毎の作業詳細項目内容と、該作業詳細項目内容毎に予め設定した詳細作業の開始から終了迄に必要とする必須所有時間との各項目とから成るチェックリストをチェックリスト定義テーブルに登録する工程と、
前記データベースサーバのチェック作業制御処理部に、入力されたチェックリストＩＤとチェック番号とを入力時刻とをチェック情報として前記チェック結果テーブルに登録するとき、前記チェック情報に含まれる複数の作業詳細項目の入力時刻の時刻差に基づいて算出した作業時間が前記必須所有時間未満と判定したとき、前記入力したチェック情報のチェック結果テーブルへの登録を阻止する工程とを実行させることを第５の特徴とし、該チェック作業監視方法において、前記チェックリスト作成端末のチェック作業制御処理部に、前記算出した作業時間が前記必須所有時間未満と判定したとき、前記表示部に警告表示させることを第６の特徴とする。
【０００９】
また、本発明は、複数の作業詳細項目から成る作業の作業詳細項目毎の作業終了報告をチェック情報として入力するチェックリスト作成端末と、該チェックリスト作成端末から前記チェック情報を入力時刻と共に入力し、チェック結果テーブルに登録するデータベースサーバとを備え、前記データベースサーバが、作業に対応したチェックリストＩＤと、該チェックリストＩＤの作業に含まれる複数の作業詳細項目毎に付与した複数のチェック番号と、該チェック番号に対応した作業詳細項目内容と、作業詳細項目毎内容を開始から終了して次の作業詳細項目を開始する迄の作業者に所有させる必須時間との各項目とから成るチェックリストを登録するチェックリスト定義テーブルと、作業者が入力した作業項目毎の作業終了を表すチェック情報を登録するチェック結果テーブルと、チェックリストを表示する表示部とを有し、前記チェックリスト作成端末が、作業管理を行うチェックリスト作成者が入力したチェックリストＩＤとチェック番号とを入力時刻と共にチェック情報として前記チェック結果テーブルに登録するチェック作業制御処理部とを有するコンピュータシステムのチェック作業監視方法であって、
前記チェックリスト作成端末のチェックリスト登録処理部に、入力されたチェックリストＩＤと、該チェックリストＩＤの作業に含まれる複数の作業項目毎に付与した複数のチェック番号と、前記作業項目毎の作業詳細項目内容と、該作業詳細項目内容の開始から終了迄に必要とする必須所有時間との各項目とから成るチェックリストをチェックリスト定義テーブルに登録する工程と、
前記データベースサーバのチェック作業制御処理部に、入力されたチェックリストＩＤとチェック番号とを入力時刻とをチェック情報として前記チェック結果テーブルに登録するとき、前記チェック情報に含まれる複数の作業詳細項目の入力時刻の時刻差に基づいて算出した作業時間が、前記チェックリスト定義テーブルに登録した複数の必須所有時間中の最短必須時間未満と判定したとき、前記入力したチェック情報のチェック結果テーブルへの登録を阻止すること工程とを実行させることを第７の特徴とし、該チェック作業監視方法において、前記データベースサーバの制御部に、算出した作業時間が前記最短必須時間未満と判定したとき、チェックリスト作成端末の表示部に警告表示させることを第８の特徴とする。
【発明の効果】
【００１０】
本発明によるチェック作業監視システム及びチェック作業監視方法は、複数の作業詳細項目毎の作業詳細項目内容及び作業詳細項目を開始から終了して次の作業詳細項目を開始する迄の必須時間を含むチェックリストを登録するチェックリスト定義テーブル及び作業終了を表すチェック情報を登録するチェック結果テーブルを有するデータベースサーバと、入力時刻を含むチェック情報をチェック結果テーブルに登録するチェック作業制御処理部と備えるチェックリスト作成端末とを設け、チェック作業制御処理部が、チェック情報を登録するとき、チェック情報の入力時刻の時刻差に基づいて算出した作業時間が前記必須所有時間未満又は前記最短必須時間未満と判定したとき、チェック結果テーブルへの登録を阻止することによって、不適切な作業終了報告の入力を監視することができる。
【図面の簡単な説明】
【００１１】
【図１】本発明の一実施形態によるチェック作業監視システムの全体構成を示す図。
【図２】本発明の実施形態によるチェックリスト定義テーブルを示す図。
【図３】本発明の実施形態によるチェックリスト結果テーブルを示す図。
【図４】本発明の実施形態によるチェックリスト作成処理の動作フローを示す図。
【図５】本発明の実施形態によるチェック項目表示及びチェック作業の動作フローを示す図。
【発明を実施するための形態】
【００１２】
以下、本発明によるチェック作業監視システム及びチェック作業監視方法の一実施形態を図面を参照して詳細に説明する。
本実施形態によるチェック作業監視方法が適用されるチェック作業監視システムは、ある作業が複数の詳細作業項目から構成され、作業者が前記詳細作業項目の終了毎に詳細作業終了報告をチェック情報として入力するコンピュータシステムであって、図１に示す如く、管理側であるチェックリスト作成者が作業内容に応じて作成した複数の作業詳細項目から成るチェックリスト１０１を入力すると共にチェック実施者が作業詳細項目毎の終了毎に作業終了報告であるチェック１０３を入力とするチェックリスト作成端末１０と、該チェックリスト作成端末１０とネットワークを介して接続され、該チェックリスト作成端末１０から入力されたチェックリストを登録すると共に作業者のチェック結果を登録する監視センターに相当するデータベースサーバ２０とから構成される。
【００１３】
前記チェックリスト作成端末１０は、前記チェックリスト作成者が作業内容に応じて作成した複数の作業詳細項目から成るチェックリスト１０１を入力してデータベースサーバ２０に登録するチェックリスト登録処理部１０２と、該データベースサーバ２０に登録したチェックリストのチェック項目を表示させるチェック項目表示処理部１０４と、作業者による前記チェック１０３によるチェック処理リクエスト（作業詳細項目終了の報告）を受け、定められたアルゴリズムに従ってチェック可否を判定し、チェック可であればチェック結果テーブル１０７に結果情報を登録し、チェック不可であればリクエストを破棄するチェック作業制御処理部１０５と、図示しない入力部及び表示部とを備え、前記データベースサーバ２０は、前記チェックリスト作成端末１０のチェックリスト登録処理部１０２から入力された作業詳細項目に基づいてチェックリストの定義情報(チェック番号、チェック内容、必須所有時間)を登録するチェックリスト定義テーブル１０６と、チェックリスト定義テーブル１０６に登録されているチェックリストについての実施結果(チェック実施者、チェック実施日時)を蓄積・管理するチェック結果テーブル１０７を備える。
【００１４】
前記データベースサーバ２０のチェックリスト定義テーブル１０６は、図２に示す如く、チェック対象の作業毎に付与されたチェックリストＩＤと、該チェックリストＩＤの作業に含まれる多数の作業詳細項目毎に細分化して付与されたチェック番号と、該チェック番毎のチェック項目の内容と、該チェック項目の内容に応じて予め設定した必須所有時間（秒）との各項目から構成され、例えば、チェックＩＤ「１」の作業に対してチェック番号「１」の作業詳細項目内容「サーバー機の電源ボタンを押す」、チェック番号「２」の作業詳細項目内容「ＯＳにログインする」、チェック番号「３」の作業詳細項目内容「管理アプリケーションを起動する」が設定され、各作業詳細項目の必須所有時間が「１８０」秒、「５」秒、「２０」秒の如く登録されている。
【００１５】
前記必須所有時間は、作業詳細項目毎内容毎に作業者が開始から終了して次の作業詳細項目を開始する迄の作業者に所有させる必須時間が設定され、例えば内容「サーバー機の電源ボタンを押す」に対しては、起動ポタンを押してからサーバーか起動して次の作業を行う迄のコンピュータの立ち上げに要する必須時間「１８０」秒が設定され、内容「ＯＳにログインする」に対してはログインしてから次の作業までにコンピュータが要する時間が比較的短いことから必須時間「５」秒が設定され、内容「管理アプリケーションを起動する」に対しては管理アプリケーション起動時間に応じて必須時間「２０」秒が設定されている。
【００１６】
前記チェック結果テーブル１０７は、作業者が実施した作業詳細項目毎のチェック内容や所要時間を登録するものであって、図３に示す如く、前記チェックリストＩＤ及びチェック番号毎にチェックを行ったチェック作業者名と、チェック実施日時の各項目が登録され、例えば作業者Ａのチェック番号「１」のチェック終了を入力した時刻が２０１１年２月８日１２時３４分５０秒、チェック番号「２」のチェック終了を入力した時刻が２０１１年２月８日１２時３８分５秒の如く登録されている。
【００１７】
このように構成された本実施形態によるチェック作業監視システムは、図４に示す如く、チェックリスト作成者がチェックリスト登録処理部１０２を用いて作業者に指示した作業のチェックリストＩＤ毎の複数の作業詳細項目毎にチェック番号をチェックリスト定義テーブル１０６に登録するステップ２０２と、具体的な作業詳細項目内容を登録するステップ２０３と、該ステップ２０３により登録した作業詳細項目内容に応じて作業開始から次の作業の開始迄に要すると想定される必須時間を登録するステップ２０４とを、定義するチェック項目の数だけステップ２０１ａからステップ２０１ｂ間で実行することによって、チェックリスト定義テーブル１０６に図２に示したチェックリストの定義情報を登録する。
【００１８】
次いで本実施形態によるチェック作業監視システムは、デジタルチェックリストによって作業者が実施したいチェックリストに定義されている各チェック項目（作業詳細項目毎）の情報を表示する処理プログラム及び作業者のチェック作業リクエストを制御する処理プログラム（図示せず）をデータベースサーバ２０の処理部が実行するとき、図５に示す如く、作業者が指定したチェックリストＩＤ及びチェック番号を満たしたレコードのチェック内容を読み込むステップ３０２と、当該チェックリストＩＤ及びチェック番号を満たしたレコードの必須所有時間を読み込むステップ３０３と、前記チェック番号及びチェック内容を作業者に対して表示するステップ３０４と、該チェック番号及びチェック内容から成るチェック項目の表示した表示時刻を図示しないメモリに記録するステップ３０５と、作業者からチェック処理リクエスト（作業詳細項目の作業終了報告を含むチェック情報）を受信するステップ３０６と、チェック処理リクエストを受信した時刻と前記ステップ３０５で記録したチェック項目表示時刻の時刻差を算出し、前記ステップ３０３で取得した必須所有時間より大きいかを判定し、該算出した時刻差が必須所有時間より小さいと判定したとき、チェック作業に必須所有時間以上の時間を費やしていないとみなし、チェック処理リクエストを破棄してステップ３０６に戻るステップ３０７と、該ステップ３０７において算出した時刻差が必須所有時間より大きいと判定したとき、チェック作業に必須所有時間以上の時間を費やしているとみなし、チェック処理リクエストを受託し、チェック結果テーブル１０７を更新するステップ３０８とをチェック項目の数だけステップ３０１ａ〜３０１ｂ間で繰り返して実行し、作業者が必須所有時間に達していない作業時間の作業詳細項目のチェック結果テーブル１０７への登録を阻止することによって、不適切なことが想定される作業詳細項目終了報告を作業者が入力した場合であっても、この不適切な詳細作業終了報告の入力をチェック結果テーブル１０７に登録することを防止することができる。
【００１９】
なお、前記実施形態においては不適切と想定されるチェック項目（作業詳細項目終了の報告）のチェック結果テーブル１０７へ登録することを防止した際、チェックリスト作成端末１０に作業者に警告を発するように構成しても良く、更に、チェックリスト作成端末１０にチェックリスト定義テーブル１０６によって定義した作業項目毎の必須所有時間を登録しておき、作業者のチェック入力時間間隔が前記作業項目毎の必須所有時間に比して短時間の場合に警告を発するように構成しても良い。
【００２０】
また、前記実施形態においては、作業詳細項目毎に必須所有時間を登録する例を説明したが、本発明はこれに限られものではなく、例えば、必須所有時間を一律に５秒〜１０秒等の作業詳細項目の最低時間差（詳細作業項目の開始から次の作業詳細項目を開始するまでの最小の時間）である短時間に設定することによって、例えば作業者がチェック情報の入力の煩雑さから、一連の作業終了後に複数のチェック情報を纏めて入力することを防止することができる。
【符号の説明】
【００２１】
１０  チェックリスト作成端末
２０  データベースサーバ
１０１  チェックリスト
１０２  チェックリスト登録処理部
１０３  作業者チェック
１０４  チェック項目表示処理部
１０５  チェック作業制御処理部
１０６  チェックリスト定義テーブル
１０７  チェック結果テーブル
【図１】
2012226663.tif 000003
【図２】
2012226663.tif 000004
【図３】
2012226663.tif 000005
【図４】
2012226663.tif 000006
【図５】
2012226663.tif 000007